(57)【要約】【課題】水平面に対して多少傾いた状態で設置されたとしても通液路全体に液体が行き渡り、ボウル部を部位によらず略均一に洗浄可能な水洗便器の提供を目的とする。【解決手段】水洗便器１は、ボウル部１０を取り囲むように、断面形状「コ」字型のリム部１２を有する。リム部１２の底面２２は、ボウル部１０に対して外側から内側に向けて下方に傾斜している。また、底面２２は、リム部１２を流れる水の流れ方向上流側から中間部Ｃ１に至るまでの区間で上り勾配がついており、中間部Ｃ１から終端部分に至るまでの区間で下り勾配がついた構成とされている。【選択図】図５
2007315061.tif 000002
【特許請求の範囲】
【請求項１】
鉢状のボウル部と、当該ボウル部の上端側の位置においてボウル部を囲むように設けられた周状の通液路と、当該通液路に対して液体を吐出可能な吐出部とを有し、前記通液路に、吐出部から吐出された液体が流入可能な流入口が設けられており、前記通液路の側方に、周状の開放部が設けられており、通液路を流れる液体を前記開放部からボウル部の内側に落下させることが可能な水洗便器であって、前記通液路の流入口から通液路の中間部に至る区間において、液体の流れ方向上流側から下流側に向けて通液路の底面が上昇していることを特徴とする水洗便器。
【請求項２】
通液路の中間部から通液路の終端位置に至る区間において、液体の流れ方向上流側から下流側に向けて通液路の底面が下降していることを特徴とする請求項１に記載の水洗便器。
【請求項３】
通液路が、流入口から離反する方向に液体が流れる上流部と、当該上流部に連続し、上流部を流れる液体の流れ方向に対して交差する方向に液体が流れる中流部と、当該中流部に連続し、前記上流部における液体の流れ方向に対して逆方向に液体が流れる下流部とを有し、前記上流部および中流部において、通液路の底面が、液体の流れ方向上流側から下流側に向けて上昇していることを特徴とする請求項１または２のいずれか１項に記載の水洗便器。
【請求項４】
中間部が、上流部と中流部との境界部分であることを特徴とする請求項３に記載の水洗便器。
【請求項５】
通液路の流入口から通液路の中間部に至る区間における通液路の底面の傾きが、水平面に対して１〜５度の範囲で上昇していることを特徴とする請求項１〜４のいずれか１項に記載の水洗便器。
【請求項６】
通液路の中間部から通液路の終端位置に至る区間における通液路の底面の傾きが、水平面に対して１〜５度の範囲で下降していることを特徴とする請求項１〜５のいずれか１項に記載の水洗便器。
【請求項７】
通液路の終端部分の底面が、流入口の底面よりも下方に存在することを特徴とする請求項１〜６のいずれか１項に記載の水洗便器。
【発明の詳細な説明】
【技術分野】
【０００１】
本発明は、水洗便器に関するものである。
【背景技術】
【０００２】
従来から、下記特許文献１に開示されているような水洗便器が提供されている。この種の水洗便器は、ボウル部を包囲するように通液路が設けられると共に、当該通液路がボウル部の内側に向けて周状に開放した形状とされている。従来技術の水洗便器は、通液路への通液に伴い、前記開放部からボウル部の略全周にわたって液体が落下し、この液体によってボウル部の内周面を洗浄可能な構成とされている。
【特許文献１】特開２００４−１１４１４号公報
【発明の開示】
【発明が解決しようとする課題】
【０００３】
上記特許文献１に代表される従来技術の水洗便器では、通液路を通過する液体をボウル部側に落下させるべく、通液路の底面にボウル部に対して外側から内側に向かう下り勾配がつけられた構成とされたものが多い。しかし、従来技術の水洗便器では、通液路を構成する底面が通液路における液体の流れ方向の上流端から終端部分に至るまで、液体の流れ方向に略平坦な構成とされている。そのため、従来技術の水洗便器は、水平に設置された状態においては、通液路に水等を供給することにより、この水等をボウル部の全周にわたって落下させ、ボウル面を洗浄することができるものであった。
【０００４】
しかし、上記した水洗便器について本発明者らがさらに詳細に検討したところ、施工上の都合等により、水洗便器が水平に設置されていないような状況下では、水等の液体をボウル部の全周にわたって略均等に落下させることができず、ボウル部の洗浄が部位によって不十分となる可能性があることが判明した。
【０００５】
さらに具体的には、上記特許文献１に開示されている水洗便器では、通液路が略環状とされているため、流入口から導入された水等の流れ方向は、通液路の中間部において徐々に流入口における水等の導入方向に対して交差する方向や逆方向に切り替わって行く構成とされていた。そのため、従来技術の水洗便器は、通液路において液体の流れ方向が切り替わるような部分に相当する位置が低くなるように設置されると、当該部分に流入口から導入された液体が集中し、通液路を流れる液体の大部分がまとまってボウル部側に落下してしまい、これより下流側に液体が行き渡らず、ボウル部の洗浄ムラが発生する可能性があった。従って、従来技術の水洗便器は、水平に設置されていないと通液路からボウル部側に落下する液体の量等がばらついてしまい、ボウル部の洗浄性能が部位によって不均一になったり、大幅に低下する可能性があった。
【０００６】
そこで、かかる知見に基づき、水平面に対して多少傾いた状態で設置されたとしても通液路全体に液体が行き渡り、ボウル部を部位によらず略均一に洗浄可能な水洗便器の提供を目的とした。
【課題を解決するための手段】
【０００７】
上記した課題を解決すべく提供される請求項１に記載の発明は、鉢状のボウル部と、当該ボウル部の上端側の位置においてボウル部を囲むように設けられた周状の通液路と、当該通液路に対して液体を吐出可能な吐出部とを有し、前記通液路に、吐出部から吐出された液体が流入する流入口が設けられており、前記通液路の側方に、周状の開放部が設けられており、通液路を流れる液体を前記開放部からボウル部の内側に落下させることが可能な水洗便器であって、前記通液路の流入口から通液路の中間部に至る区間において、液体の流れ方向上流側から下流側に向けて通液路の底面が上昇していることを特徴とする水洗便器である。
【０００８】
本発明の水洗便器では、通液路の流入口から通液路の中間部に至る区間において、液体の流れ方向上流側から下流側に向けて通液路の底面が上昇している。そのため、本発明の水洗便器は、水平面に対して多少傾いた姿勢で設置されたとしても、流入口から通液路に流入した液体が一度にまとまって前記中間部近傍に集まったり、通液路を流れる液体の流れが流入口から通液路の中間部に至る区間において加速するといったような現象が起こりにくい。そのため、本発明の水洗便器は、仮に水平面に対してある程度傾いた状態で設置されたとしても、通液路に供給された液体を通液路全体に略均等に行き渡らせ、ボウル部の全周に渡って液体を落下させることができる。従って、本発明によれば、設置状態等によらずボウル部の全周にわたって略均等に洗浄可能な水洗便器を提供することができる。
【０００９】
ここで、上記したように通液路の流入口から中間部に至る区間において通液路の底面が上昇する構成とした場合、流入口から通液路に対して導入された液体の勢いが中間部に至るまでに弱まるものと想定される。そのため、流入口から導入される際の液体の勢い如何によっては、液体の勢いが通液路の途中で減衰してしまい、液体が所定の勢いで通液路の終端位置に到達できなくなるおそれがある。通液路を通過する液体の勢いが途中で大幅に減衰してしまうと、通液路からボウル部に落下する液体の落下量の分布や落下の勢い等のバラツキが発生したり、勢いを失った液体が通液路の終端部分に至るまでにボウル部側に落下してしまうといったような不具合が起こり、ボウル部の洗浄不良が発生する可能性がある。
【００１０】
また、上記した構成とした場合は、仮に通液路の中間部から通液路の終端位置に至る区間において、通液路の底面が液体の流れ方向上流側から下流側に向けて平坦であったとしても、水洗便器が設置されている姿勢によっては通液路の中間部から通液路の終端位置に至る区間において水平面に対して上り勾配となってしまい、当該部位において水がうまく流れなくなる可能性もある。
【００１１】
そこで、かかる知見に基づいて提供される請求項２に記載の発明は、通液路の中間部から通液路の終端位置に至る区間において、液体の流れ方向上流側から下流側に向けて通液路の底面が下降していることを特徴とする請求項１に記載の水洗便器である。
【００１２】
本発明の水洗便器では、上記した中間部から終端位置に至る区間において通液路の底面が液体の流れ方向上流側から下流側に向けて下降した構成とされている。そのため、本発明の水洗便器では、通液路の中間部に至るまでの間に通液路を通る液体の勢いが減衰する可能性が低い。また、本発明の水洗便器は、仮に水平面に対して傾いて設置されていたとしても、通液路の中間部から終端位置に至る区間において通液路の底面が水平あるいは下方に傾斜した状態となる。そのため、本発明の水洗便器は、仮に水平面に対して傾斜した状態で設置されても、通液路に供給された液体を通液路の上流側の部分だけでなく、中間部から終端部分に至る下流側の領域まで勢いをほとんど低下させることなくスムーズに到達させることができる。従って、本発明によれば、液体を通液路の終端位置まで所定の勢いを維持した状態で供給することができ、液体をボウル面全体に略均等に落下させ洗浄することが可能な水洗便器を提供できる。
【００１３】
ここで、上記請求項１または２のいずれか１項に記載の水洗便器は、通液路が、流入口から離反する方向に液体が流れる上流部と、当該上流部に連続し、上流部を流れる液体の流れ方向に対して交差する方向に液体が流れる中流部と、当該中流部に連続し、前記上流部における液体の流れ方向に対して逆方向に液体が流れる下流部とを有し、前記上流部および中流部において、通液路の底面が、液体の流れ方向上流側から下流側に向けて上昇していることを特徴とするものであってもよい（請求項３）。
【００１４】
上記したように通液路を上流部、中流部、並びに、下流部に分類した場合、通液路の上流部や中流部を流れる液流の勢いは比較的高いと想定される。そのため、水洗便器の設置姿勢の影響を受けて上流部や中流部に液体が集中的に流入すると、当該部位において通液路を流れる液体の大部分が行き場を失ってボウル部側に落下してしまい、下流側に液体が十分行き渡らない可能性がある。そこで、かかる知見に基づき、本発明の水洗便器では、通液路の上流部および中流部に相当する部分の底面を液体の流れ方向上流側から下流側に向けて上方に傾斜する構成としている。そのため、本発明の水洗便器は、水洗便器の設置姿勢によらず通液路の上流部や中流部に液体が集中的に流れるといったような不具合が起こりにくい。従って、本発明によれば、設置姿勢が水平面に対して多少傾いていたとしても通液路の全体にわたって略均一に液体を行き渡らせ、ボウル部全体を略均一に洗浄可能な水洗便器を提供することができる。
【００１５】
上記請求項３において、中間部は、上流部と中流部との境界部分であることが望ましい（請求項４）。
【００１６】
ここで、上記請求項１〜４のいずれか１項に記載の水洗便器は、通液路の流入口から通液路の中間部に至る区間において液体の流れ方向上流側から下流側に向けて上方に傾斜した構成とされているが、この傾斜が極端に高いと、流入口から通液路に導入された液体の勢いが極端に減衰してボウル部側に落下してしまい、中間部よりも下流側に到達できる液体の量が極端に減ってしまうおそれがある。
【００１７】
そこで、かかる知見に基づいて提供される請求項５に記載の発明は、通液路の流入口から通液路の中間部に至る区間における通液路の底面の傾きが、水平面に対して１〜５度の範囲であることを特徴とする請求項１〜４のいずれか１項に記載の水洗便器である。
【００１８】
かかる構成によれば、中間部よりも液体の流れ方向上流側において液体の流れを適度に減衰させることができ、ボウル部の洗浄に適した量の液体を通液路の中間部から終端部分に至る区間にも到達させることができる。従って、本発明によれば、中間部よりも上流側の区間だけでなく下流側の区間にも液体を十分行き渡らせ、ボウル部全体を略均一に洗浄可能な水洗便器を提供できる。
【００１９】
ここで、上記請求項１〜５に記載の水洗便器では、通液路の流入口から中間部に至る区間において底面に上り勾配がつけられており、通液路の中間部に至るまでに液流がある程度減衰する。そのため、通液路全体にわたって液体を十分行き渡らせるためには、中間部よりも下流側において、通液路の底面に下り勾配がつけられていることが望ましいが、この下り勾配が極端にきついと通液路を通る液体がうまくボウル部側に落下しなかったり、落下状態にムラが発生する可能性がある。
【００２０】
そこで、かかる知見に基づいて提供される請求項６に記載の発明は、通液路の中間部から通液路の終端位置に至る区間における通液路の底面の傾きが、水平面に対して１〜５度の範囲で下降していることを特徴とする請求項１〜５のいずれか１項に記載の水洗便器である。
【００２１】
かかる構成によれば、通液路の中間部よりも下流側における液体の流れをボウル部をムラなく洗浄できるよう、最適化することができる。
【００２２】
ここで、上記請求項１〜６に記載の水洗便器において、通液路を通る液体の勢いは、流入口から遠ざかり、下流側に向かうほど低下するものと想定される。また、上記請求項１〜６に記載の水洗便器では、中間部よりも上流側において通液路を流れる液体の流れ方向下流側に向かうに従って通液路の底面が上昇する構成とされている。そのため、上記請求項１〜６に記載の水洗便器では、中間部よりも下流側に至る区間における液流の勢いが中間部よりも上流側の区間における液流の勢いよりも低くなり、その分ボウル部の洗浄能力にムラが生じる可能性もある。
【００２３】
そこで、かかる可能性が懸念される場合、上記請求項１〜６のいずれか１項に記載の水洗便器は、通液路の終端部分の底面が、流入口の底面よりも下方に存在することを特徴とするものとすることが好ましい（請求項７）。
【００２４】
かかる構成とした場合、通液路の中間部よりも下流側の領域においても液流の勢いを高く維持することができる。そのため、本発明によれば、ボウル部を部位によらずムラなく洗浄可能な水洗便器を提供できる。
【発明の効果】
【００２５】
本発明によれば、設置状態等によるボウル部の洗浄性能の低下を最小限に抑制可能な水洗便器を提供できる。
【発明を実施するための最良の形態】
【００２６】
続いて、本発明の一実施形態にかかる水洗便器について図面を参照しながら詳細に説明する。なお、以下の説明では、特に断りがない限り、水洗便器の上下左右や前後、手前、奥等の位置関係に関する文言ついては、一般的な使用状態において便座への着座前に水洗便器対して対向した状態を基準として説明する。
【００２７】
図１は、本実施形態の水洗便器１を示す側面図である。水洗便器１は、いわゆる洋式便器であり、従来公知のものと同様に便器本体２に対して便座３や覆蓋５を取り付けた構成とされている。
【００２８】
便器本体２は、図１に示すように、ボウル部１０と排出部１１とリム部１２（通液路）とを有する。ボウル部１０は、図２に示すように上端側が開口した鉢状のものである。ボウル部１０の底部には、ボウル部１０から水（液体）やボウル部１０に溜まった汚物を排出するための排出口として機能する開口１５が設けられている。開口１５には、排出部１１が配管を介して接続されている。
【００２９】
図１に示すように、排出部１１は、排出口１６に加えて、可動部１７や電磁弁１８を有する。排出口１６は、下水道等につながる配管が接続される部分であり、便器本体２の底面において開口している。また、可動部１７は、水や汚物を通過させることが可能な筒状の部位であり、図示しないモータ等からなる動力源（図示せず）の作動に伴ってボウル部１０との連通状態を維持したまま上方側あるいは下方側に向けて傾斜状態を切り替え可能な構成とされている。
【００３０】
可動部１７は、常時は図１（ａ）に示すように末端部分が上方に向くように傾斜している。一方、ボウル部１０に溜まっている水や汚物を排出する際に図示しないリモコンのスイッチを押圧するなどすると、図１（ｂ）に示すように動力源（図示せず）が作動して可動部１７が下方に傾斜すると共に、電磁弁１８が開く。これにより、ボウル部１０に溜まっている水や汚物を排出口１６に向けて排出することができる。
【００３１】
リム部１２は、本実施形態の水洗便器１において特徴的な構成を有する部分である。リム部１２は、図２や図５、図６に示すようにボウル部１０の全周を取り囲むように設けられている。リム部１２は、図３や図４に示すようにボウル部１０の上端部分に位置しており、断面形状が略「コ」字状の溝によって構成されている。リム部１２は、便器本体２の左奥側に設けられた流入口１４に取り付けられた吐出部であるノズル１３（図２、図５、図６参照）に接続された給水源から供給される水が流れる流路（通液路）を構成するものである。
【００３２】
さらに具体的には、リム部１２は、図３（ｂ）や図４（ｂ）に示すように、天面２０、外周面２１および底面２２の３面によって囲まれており、外周面２１に対して対向する部分にボウル部１０の内側に向けて開口した開放部２３を持つ構成とされている。リム部１２の天面２１は、上記した便座３の底面と接触する部分である。また、外周面２１は、便器本体２の外周に沿って形成された面である。
【００３３】
底面２２は、本実施形態の水洗便器１において最も特徴的な構成とされている部分である。さらに詳細には、底面２２は、上記した天面２１に対向する位置にあり、図２や図５（ａ）等に示すようにボウル部１０の略全周を取り囲むように設けられている。底面２２は、図３（ｂ）や図４（ｂ）に示すように、ボウル部１０の内側に向けて下り勾配がついた構成とされている。そのため、図５（ａ）に矢印で示すように、ノズル１３から噴出した水をリム部１２に通すと、この水は底面２２に沿ってボウル部１０の略全周にわたって流れると共に、リム部１２を通過する際に少しずつボウル部１０側に落下する。これにより、ボウル部１０の内側に水の旋回流が発生し、ボウル部１０の内面が洗浄される。
【００３４】
また、底面２２は、ノズル１３から導入される水の流れ方向上流側から下流側にかけて勾配が変化している。さらに具体的には、図５（ａ），（ｂ）に示すようにボウル部１０の中心を通り互いに直交する２本の直線Ｌ１，Ｌ２を想定し、底面２２を直線Ｌ１，Ｌ２で区画される４つの領域を、水の流れ方向上流側から領域Ａ〜Ｄに分割すると共に、領域Ａをノズル１３に対して水の流れ方向下流側に位置し、底面２２を流れる水の流れ方向最上流側に位置する領域Ａ１と、領域Ｄに対して水の流れ方向下流側に位置し、底面２２を流れる水の流れ方向最下流側に位置する領域Ａ２とに分割した場合、底面２２の勾配は、図７に示すように変化している。
【００３５】
すなわち、ノズル１３から噴出する水の流れ方向最上流側に位置する領域Ａ１から領域Ｂを通過し、領域Ｃの中間部分にある中間部Ｃ１に至るまでの区間は、底面２２がなだらかに上方に向けてＫ１度（本実施形態では約３度）程度の傾きでなだらかに傾斜している。ここで、中間部Ｃ１は、便器本体２の左奥側に設けられたノズル１３から手前側に向けて噴出してきた水が便器本体２の手前側を横方向に通過した後、奥側に戻る方向に向きを変えようとする部分である。
【００３６】
さらに詳細には、図６に示すように、底面２２をノズル１３から噴出する水が、ノズル１３から離れる方向に略直進する部分を上流部Ｘ、上流部Ｘを流れてきた水がノズル１３における水の噴出方向に対して交差する方向に進む部分を中流部Ｙ、中流部Ｙを流れてきた水がさらに進行方向を変え、上流部Ｘにおける水流の方向に対して逆方向に流れて上流部Ｘ側に戻る部分を下流部Ｚとした場合、中間部Ｃ１は、中流部Ｙと下流部Ｚとの境界部分に相当する部分である。
【００３７】
また、図６（ａ）に示すように底面２２をノズル１３から噴出した水が手前側（ノズル１３から遠ざかる方向）に流れる部分を往部Ｇ１とし、水が奥側（ノズル１３に近づく方向）に向けて流れる部分を復部Ｇ２とした場合、中間部Ｃ１は、往部Ｇ１と復部Ｇ２との境界に相当する部分である。本実施形態では、底面２２の全長の略中央に相当する位置に中間部Ｃ１が設けられている。
【００３８】
底面２２は、上記した中間部Ｃ１よりもリム部１２を流れる水の流れ方向下流側の領域から領域Ｄを経て領域Ａ２に至る部分、すなわち上記した下流部Ｚや復部Ｇ２相当する領域において下方に向けてＫ２度（本実施形態では約３度）の傾きでなだらかに傾斜している。すなわち、底面２２は、図５（ｂ）や図６（ｂ）に模式的に示すように、上流部Ｘおよび中流部Ｙ（往部Ｇ１）において水の流れ方向上流側から下流側に向けて上り勾配がついており、下流部Ｚ（復部Ｇ２）において下り勾配がついた構成とされている。
【００３９】
図５（ｂ）に示すように、リム部１２の底面２２が所定の平面Ｐ上に形成されていると想定した場合、この平面Ｐは、水平面Ｑに対して平行ではない。そして、領域Ａに相当する部分が水平面Ｑに対して最も低い位置にあり、領域Ａに対してはすかい（領域Ａに対してボウル部１０を挟んで右斜め手前側）の位置にある領域Ｃが水平面Ｑに対して最も高い位置にある。領域Ａに対して水の流れ方向下流側に隣接する領域Ｂに相当する部分の高さは、領域Ａよりも高く領域Ｃよりも低い。また、領域Ｃに対して水の流れ方向下流側に隣接する領域Ｄの高さは、領域Ｃよりも低い。
【００４０】
続いて、本実施形態の水洗便器１においてボウル部１０の洗浄する際の動作および水の流れについて説明する。水洗便器１は、リモコン（図示せず）等を操作することにより、給水源からノズル１３に対してボウル１０の洗浄用の水が供給されると共に、排出部１１の可動部１７が図１（ａ）のように上方に向いた姿勢から図１（ｂ）のように下方に向いた姿勢に切り替わる。またこの際、排出部１１の電磁弁１８が開いた状態になる。
【００４１】
上記したようにして、給水源からノズル１３に水が供給されると、この水はノズル１３の噴出口からリム部１２内に噴出される。リム部１２内に噴出した水は、図５（ａ），（ｂ）や図６（ａ），（ｂ）に矢印で示すように領域Ａ１（上流部Ｘ）内を勢いよく流れる。
【００４２】
ここで、上記したように、リム部１２の底面２２は、図３（ｂ）や図４（ｂ）に示すようにボウル部１０の外側から内側に向けて下り勾配がついた形状とされている。そのため、領域Ａ１を流れる水の大部分は、領域Ａ１に対して下流側に隣接する領域Ｂ側に向けて流れるが、一部はリム部１２を進むに従って少しずつボウル部１０の内側に向けて落下する。ボウル部１０の内側に落下した水は、ボウル部１０の内周面に沿って流れ、内周面を洗浄する。ボウル部１０の内周面を伝ってボウル部１０の底に至った水は、開口１５およびこれに配管接続された排出部１１の可動部１７を通って排出口１６から排出される。
【００４３】
また、上記したように、リム部１２の底面２２は、領域Ａ１において水の流れ方向下流側に向かうに従って上昇している。そのため、ノズル１３から噴出した水は、その勢いをやや緩めながら下流側（領域Ｂ側）に向けて流れる。
【００４４】
上記したようにして領域Ａ１を通過し、領域Ｂに至った水は、リム部１２の湾曲に沿って流れる。すなわち、領域Ｂを流れる水は、領域Ａ１を通過する水の流れ方向に対して交差する方向（右方）に徐々に向きを変えながら流れる。
【００４５】
領域Ｂにおけるリム部１２の底面２２は、上記した領域Ａ１から連続してさらに水の流れ方向下流側に向かって上昇している。そのため、領域Ｂを流れる水の勢い（流速）は、さらに低下する。
【００４６】
領域Ｂを通過する水についても、図５（ａ）や図６（ａ）に示すように一部がボウル部１０の内側に向けて落下してボウル部１０の内周面に沿って流れ、内周面を洗浄する。一方、領域Ｂを通過する水の残部は、さらに下流側（領域Ｃ側）に流れる。
【００４７】
リム部１２の領域Ｂを通過し、領域Ｃに流入した水は、リム部１２の湾曲に沿ってさらに進行方向を変化させながら下流側に流れる。すなわち、領域Ｃに流入した水は、徐々にその流れ方向を奥側に変化させながら下流側に流れていく。領域Ｃを通過する水についても、一部がボウル部１０の内側に落下し、残部がさらに下流側（領域Ｄ）側に向けて流れる。
【００４８】
ここで、上記したように、本実施形態の水洗便器１において、リム部１２の底面２２は、水の流れ方向上流側から中間部Ｃ１に至るまでの領域において、水の流れ方向下流側に向かうに従って上昇するが、中間部Ｃ１よりも下流側の領域において水の流れ方向下流側に向かうに従って下降する構成とされている。換言すれば、水洗便器１では、領域Ｃにおいて水の流れ方向が奥側に変化する変曲点に相当する部分あるいはこの近傍に中間部Ｃ１が存在し、この中間部Ｃ１あるいはこの近傍を頂点として底面２２の傾斜が変化する構成とされている。そのため、リム部１２の領域Ｃを通過する水は、中間部Ｃ１に至るまで徐々に勢い（流速）を緩めながら流れ、その後中間部Ｃ１を通過すると下流側に向けて徐々に勢い（流速）を回復しながら流れることとなる。
【００４９】
上記したようにしてリム部１２の領域Ｃを通過してきた水は、下流側に隣接する領域Ｄ内に流入する。リム部１２の底面２２は、領域Ｄにおいてもボウル部１０の外側から内側に向けて下り勾配がついた構成とされている。そのため、リム部１２を通過する水は、領域Ｄにおいても、流れ方向下流側に向かうに従って少しずつボウル部１０の内側に落下し、ボウル部１０の内周面を満遍なく洗浄する。
【００５０】
また、リム部１２の底面２２は、領域Ｄにおいて領域Ｃに引き続いて水の流れ方向下流側に向かうに従って徐々に下降する傾向にある。そのため、リム部１２の領域Ｄに流入した水についても、十分な勢い（流速）を維持した状態で下流側に流れる。
【００５１】
リム部１２の領域Ｄを通過してきた水は、さらに下流側の領域Ａ２に到達する。領域Ａ２に到達した水は、大部分がボウル部１０の内側に向け、ボウル部１０の内周面に沿って落下し、内周面を洗浄する。また、領域Ａ２の末端部分、すなわちリム部１２の終端部分に至った水は、領域Ａ１に戻る。
【００５２】
上記したようにして、リム部１２の全周からボウル部１０の内周面に沿って落下した水は、ボウル部１０の内周面に沿って流れる旋回流となって内周面全体を洗浄する。そして、ボウル部１０を洗浄した水は、ボウル部１０の底に至ると開口１５を通って排出部１１の可動部１７を構成する筒に至り、便器本体２の底面に設けられた排出口１６から下水道などに排出される。
【００５３】
上記したようにして、ボウル部１０の洗浄開始後、所定量の水がノズル１３から噴出された時点、あるいは、ボウル部１０の洗浄開始後、所定時間が経過した時点で、排出部１１の可動部１７を構成する筒が図１（ｂ）に示すように下方に傾いた状態から図１（ａ）に示すように上方に傾いた姿勢に切り替わる。またこの際、可動部１７に設けられた電磁弁１８が閉止される。その後、所定時間が経過するまで、あるいは、ノズル１３を介して所定量の水が供給されるまで、図示しない給水源からノズル１３およびリム部１２を介してボウル部１０内に水が供給される。これにより、ボウル部１０に水が所定量だけ溜まった状態となり、ボウル部１０の洗浄に関する一連の動作が完了する。
【００５４】
上記したように、本実施形態の水洗便器１において、リム部１２の底面２２は、便器本体２の奥側に設置されているノズル１３側から中間部Ｃ１に至るまでの区間（往部）において上り勾配がついた構成とされている。そのため、本実施形態の水洗便器１では、仮に便器本体２が施工上の都合等で手前側にある程度（Ｋ１程度以下）の範囲で傾斜した、いわゆる前傾姿勢で設置されていたとしても、ノズル１３から噴出された水がまとまって便器本体２の手前側の部分に到達したり、水勢を強めた状態で便器本体２の手前側の部分に到達するといったような現象が起こらない。
【００５５】
さらに、本実施形態の水洗便器１では、周状に延伸したリム部１２の全長の略中央に相当する中間部Ｃ１よりも水の流れ方向下流側において、底面２２が水の流れ方向下流側に向けて下り勾配がつけられた構成である。そのため、水洗便器１では、ノズル１３から噴出された水の勢いが中間部Ｃ１に至るまでに減衰されたとしても、リム部１２を通過する水は、中間部Ｃ１から下流側に向かう間に勢いを取り戻し、終端部分である領域Ａ２にまで到達することができる。また、水洗便器１は、手前側よりも奥側が低くなるように設置されたとしても、その傾斜がＫ２度（本実施形態では約３度）程度以下であれば中間部Ｃ１よりも下流側においても水をスムーズに流すことができる。そのため、本実施形態の水洗便器１によれば、設置姿勢等の影響を受けることなく、ボウル部１０全周をくまなく洗浄することができる。
【００５６】
また、上記実施形態では、中間部Ｃ１よりも上流側の領域（上流部Ｘ、中流部Ｙ）における底面２２の勾配がＫ１度（約３度）とされており、水の流れ方向上流側から下流側に向かって緩やかに上昇する構成とされている。そのため、水洗便器１では、ノズル１３から噴出された水の勢い（流速）を適度に減衰させることができ、中間部Ｃ１よりも上流側の領域においてボウル部１０の洗浄に適した量の水をボウル部１０の内側に落下させることができると共に、中間部Ｃ１よりも下流側の領域にもボウル部１０の洗浄に必要とされる量の水を供給することができる。従って、上記した構成よれば、リム部１２において、中間部Ｃ１よりも上流側の区間だけでなく下流側の区間にも水を十分行き渡らせ、ボウル部１０全体を満遍なく洗浄することができる。
【００５７】
また、上記したように、本実施形態では、中間部Ｃ１よりも下流側の領域（下流部Ｚ）における底面２２がＫ２度（約３度）の傾きで、水の流れ方向上流側から下流側に向かって下降する構成とされている。そのため、中間部Ｃ１に到達した時点でリム部１２を流れる水流の勢い（流速）がある程度減衰していても、下流部Ｚにおいて水流の勢いが回復し、リム部１２の末端部分にまで水を到達させることができる。従って、上記した構成によれば、中間部Ｃ１よりも下流側においてもリム部１２内を流れる水が終端部分まで満遍なく行き渡り、ボウル部１０をムラなく洗浄することができる。
【００５８】
上記実施形態では、リム部１２の底面２２の傾斜Ｋ１，Ｋ２度を共に３度程度としたが、本発明はこれに限定されるものではなく、例えば傾斜Ｋ１と傾斜Ｋ２とで角度を変更する等、適宜設定することが可能である。なお、リム部１２を流れる水流の勢い（流速）を最適化するためには、傾斜Ｋ１，Ｋ２は共に１度〜５度の範囲であることが望ましい。
【００５９】
また、上記実施形態では、図２や図５に示すように、リム部１２の底面２２が平面視で略環状であり、底面２２の高さが水流の最上流側に位置する領域Ａ１と、水流の最下流側（終端部分）に相当する領域Ａ２とで同程度の高さであったが、本発明はこれに限定されるものではない。さらに具体的には、例えば図８に示すように、リム部１２は、水流の最下流部分（終端部分）における底面２２の高さが、リム部１２における水流の始点部分（ノズル１３の取付部近傍）よりも低くなっていてもよい。
【００６０】
また、上記実施形態では、リム部１２の底面２２が下流部Ｚにおいて、リム部１２を流れる水の流れ方向上流側から下流側に向かって下降する形状であったが、本発明はこれに限定されるものではなく、下流部Ｚにおいて底面２２が平坦（水平面Ｑと平行）であってもよい。
【００６１】
上記実施形態では、ノズル１３に給水源から水が供給される場合を例に挙げたが、本発明はこれに限定されるものではなく、水に洗浄液等を混ぜた液体等がノズル１３に供給される構成であってもよい。
【図面の簡単な説明】
【００６２】
【図１】本発明の一実施形態にかかる水洗便器を示す側面図であり、（ａ）は当該水洗便器の第１の作動状態、（ｂ）は当該水洗便器の第２の作動状態を示すものである。
【図２】図１に示す水洗便器において採用されている便器本体の要部を破断した状態を示す斜視図である。
【図３】（ａ）は図１に示す水洗便器におけるボウル部および排出部の右方側面図であり、（ｂ）はボウル部の断面を右方から観察した状態を示す断面図である。
【図４】（ａ）は図１に示す水洗便器におけるボウル部および排出部を手前側から観察した状態を示す側面図であり、（ｂ）はボウル部の断面を手前側から観察した状態を示す断面図である。
【図５】（ａ）はリム部の構造を示す断面図であり、（ｂ）はリム部の構成を模式的に示す説明図である。
【図６】（ａ）はリム部の構造を示す断面図であり、（ｂ）はリム部の構成を模式的に示す説明図である。
【図７】リム部の底面の傾斜の変化を示すグラフである。
【図８】図２の変形例にかかる便器本体の要部を破断した状態を示す斜視図である。
【符号の説明】
【００６３】
１    水洗便器
２    便器本体
１０    ボウル部
１２    リム部（通液路）
１３    ノズル（吐出部）
１４    流入口
２２    底面
２３    開放部
Ｋ１，Ｋ２    傾斜
Ｃ１    中間部
Ｘ    上流部
Ｙ    中流部
Ｚ    下流部
【図１】
2007315061.tif 000003
【図２】
2007315061.tif 000004
【図３】
2007315061.tif 000005
【図４】
2007315061.tif 000006
【図５】
2007315061.tif 000007
【図６】
2007315061.tif 000008
【図７】
2007315061.tif 000009
【図８】
2007315061.tif 000010